(57)【要約】  【課題】  ケーキの箱等は、組み立てておくと場所をとるため、お客の注文を受けてから必要なサイズの箱を組み立てる事が多い。しかし、組み立てが早く、簡単に出来る箱は側壁に斜めの折り筋が入ったり、底が４枚重ねになり平面性と外観が保たれなっかたり、かつ箱強度が出ないなど多くの品質を犠牲にして組み立てスピードを出している。組み立てが簡単で、外観も良く、箱強度のある組み立て箱が求められていた。  【解決手段】  箱を起立させ、コーナーフラップで繋がる３枚の側壁板の中央の側壁板にコーナーフラップを折り畳み、該中央側壁板上辺に縁接するコーナーフラップ抑え板を箱内面に折り畳み、該コーナーフラップ左右端、及びまたは先端に係止フラップがあり、底板及びまたは該左右側壁板にある突起に係止フラップが引っかかり、箱の起立状態が簡単にロックされるようにした。     【選択図】  図３
2006076574.tif 000002
【特許請求の範囲】
【請求項１】
四角形の底板の少なくとも３辺に、それぞれ縁接する側壁板を持ち、一つの側壁板とその左右に位置する側壁板とが中央に折り筋を持ったコーナーフラップで繋がっており、該中央の側壁板上辺には、該上辺を折り筋として折り返すコーナーフラップ抑え板が縁接され、該コーナーフラップ抑え板の左右端辺及びもしくは先端辺に係止フラップを設け、更に該３枚の側壁板を起立させ、コーナーフラップを中央折り筋が箱内側に入るように折り曲げ、折り畳んだコーナーフラップをコーナーフラップ抑え板で該中央側壁板との間に挟み込んだ時、係止フラップ先端が接する該左右側壁板及びまたは底板に係止フラップ先端をひっかける突起を設けてあり、係止フラップ先端がこの突起に引っかかると、コーナーフラップ抑え板がコーナーフラップを該中央側壁板との間に挟み込んだ状態で固定されるようにした事を特徴とする紙箱。
【請求項２】
突起が係止フラップ先端と平行に、該係止フラップが接する側壁板ないしは底板材に係止に必要な長さで切り込みを入れ、切り込みにより発生した二つの断面の内、係止フラップ先端断面と向かい合いになる側の断面板部を係止フラップ先端断面厚さ分、箱内側に盛り上げ、付形したものである事を特徴とする請求項１に記載する紙箱。
【請求項３】
別部品を貼り付け突起となす事を特徴とする請求項１記載の紙箱。
【請求項４】
コーナーフラップ抑え板を上縁辺に縁接する側壁板の左右縁辺に縁接するコーナーフラップの中央折り筋から、該中央側壁板側のコーナーフラップを、予め該中央側壁板の内面に接着固定しておく事を特徴とする請求項１記載の紙箱。
【発明の詳細な説明】
【技術分野】
【０００１】
本発明は、紙製組み立て箱の組み立てを簡単にした紙箱に関する。
【背景技術】
【０００２】
洋菓子、和菓子等の紙箱には多くの組み立て箱が使われている。組み立て箱は、折り畳んだ状態でお店に納入され、お店で組み立てて商品を収納するため、お店での組み立ての簡便さが求められている。お客が来る前に予め組み立てておけば場所をとり、繁盛する店ほど、店頭での紙箱の組み立てが簡単なものを求めている。しかし、組み立てが簡単な箱ほど品質を犠牲にしている。例えば特許文献１では、箱側面に斜めの折り筋が入って外観を犠牲にし、特許文献２では、箱底面を４枚の合わせ底板とし、商品を載せる重要面の安定性と外観を犠牲にしている。
【特許文献１】実用新案登録３０５８７７５
【特許文献２】特開平０９−８６５３４
【発明の開示】
【発明が解決しようとする課題】
【０００３】
解決しようとしている課題は、箱側面に斜め折り筋が入らず、また箱底面も１枚の底板から出来ている、組み立てが簡単で、外観も綺麗な組み立て紙箱を提供する事にある。
【課題を解決するための手段】
【０００４】
本発明は、上記目的を達成するために、四角形の底板の少なくとも３辺に、それぞれ縁接する側壁板を持ち、一つの側壁板とその左右に位置する側壁板とが中央に折り筋を持ったコーナーフラップで繋がっており、該中央の側壁板上辺には、該上辺を折り筋として折り返すコーナーフラップ抑え板が縁接され、該コーナーフラップ抑え板の左右端辺及びもしくは先端辺に係止フラップを設け、更に該３枚の側壁板を起立させ、コーナーフラップを中央折り筋が箱内側に入るように折り曲げ、折り畳んだコーナーフラップをコーナーフラップ抑え板で該中央側壁板との間に挟み込んだ時、係止フラップ先端が接する該左右側壁板及びまたは底板に係止フラップ先端をひっかける突起を設けてあり、係止フラップ先端がこの突起に引っかかると、コーナーフラップ抑え板がコーナーフラップを該中央側壁板との間に挟み込んだ状態で固定されるようにした紙箱とした。
【０００５】
また、第２の課題解決手段は、突起が係止フラップ先端と平行に、該係止フラップが接する側壁板ないしは底板材に係止に必要な長さで切り込みを入れ、切り込みにより発生した二つの断面の内、係止フラップ先端断面と向かい合いになる側の断面板部を係止フラップ先端断面厚さ分、箱内側に盛り上げ、付形した紙箱とした。
【０００６】
また、第３の課題解決手段は、突起を設ける位置に、別部品を持ってきて貼り付け突起とする紙箱とした。
【０００７】
第４の課題解決手段は、コーナーフラップ抑え板を上縁辺に縁接する側壁板の左右縁辺に縁接するコーナーフラップの中央折り筋から、該側壁板側のコーナーフラップを、予め該側壁板の内面に接着固定しておく紙箱とした。
【発明の効果】
【０００８】
上記第１の課題解決手段による作用は次の通りである。即ち、少なくとも３枚の側壁板はコーナーフラップで繋がっており、コーナーフラップを中央折り筋で内側に折り畳み、該中央側壁板面に押しつければ、箱は起立し、この状態でコーナーフラップ抑え板を中央側壁板との境である折り筋で内側に折り畳めば、コーナーフラップは中央側壁板とコーナーフラップ抑え板との間に挟まれる。この時、コーナーフラップ抑え板に縁接する係止フラップ先端断面が左右側壁、底板に設けられた突起にひっかかり、係止フラップは動かなくなる。コーナーフラップ抑え板はコーナーフラップを中央側壁板に押さえつけた状態で固定、ロックされる。このように箱の起立は簡単で、かつ起立した状態に固定、ロックするにも、フラップ抑え板を箱内側に折り返すだけで達成され、組み立てが大変簡単で、かつ強度の高い紙箱となる。
【０００９】
上記第２の課題解決手段による作用は次の通りである。即ち、同じ一枚の紙で突起を作る事が出来る。即ち、箱を展開状態で打ち抜くときに突起も同時に付形する事が出来、生産過程が大変簡単である。
【００１０】
上記第３の課題解決手段による作用は次の通りである。即ち、上記第２の課題解決手段では、突起を設ける事で、該当する側壁板または底板には、小さな穴が開くことになり、外観上は多少気になる。これを避けるには突起を設けようとする位置に、他部品を固定する事で上記問題を解決する事が出来る。突起部品に箱と同じ紙を用いれば内側の見栄えもよい。
【００１１】
上記第４の課題解決手段による作用は次の通りである。即ち、フラップ抑え板を縁接している中央側壁板とその左右側壁板を繋ぐフラップの中央折り筋より中央側壁板に繋がっているフラップの部分を、予め中央側壁板に接着剤等で固定しておくと、中央側壁板を立てるだけで箱が立ち上がるという、箱の起立性がさらに向上する。後はフラップ抑え板を箱内側に折り返せば箱の起立はロックされる。
【発明を実施するための最良の形態】
【００１２】
ケーキ箱を想定して以下の実施を行った。紙は、ジェットエース（大昭和製紙、350g/m2）を使用した。
【実施例１】
【００１３】
図１は、本発明による紙箱の展開図である。突起８a〜８dは解決手段２の例を示したもので、突起の位置、数は本実施例に限るものではないことは明らかである。また、１１から１６は本発明とは関係がないが、本発明により、箱を起立させた時、１１から１４の部分が開いた状態で、ケーキなどの商品の収納、取り出しが簡単に出来る仕様と組み合わせた実施例を示すものである。尚、本実施例での突起は、切れ込みを入れ、発生した両断面のうち、係止フラップ断面を引っかけ、戻りを止める事になる断面を、ヘラの先で外面から内側に押し込む事で突起を作った。
【００１４】
図２は図１の打ち抜いた紙を、ユーザー向けに折り畳んだ状態を示す。分かりやすくするため、完全に折り畳んだ状態から、少し浮いた状態を示している。
【００１５】
図３は各側壁板を起こそうとしている状態をしめす。
【００１６】
図４は、内側に折り込んだコーナーフラップ５（a、b、c、d）をコーナーフラップ抑え板６で側壁板３との間に挟み込み、係止フラップ７a、７bがそれぞれ突起８a、８bに
先端を引っかけている事を示している。突起８c、８dが係止フラップ７b、７cを引っかけている状況は、この図からは見えない。図３の状況から、図４の状況への移行は一瞬であり、コーナーフラップ抑え板６を折り筋１０を支点にして、内側に折り込めば一発で図４の状態に移行出来、箱はこの状態で起立し、係止フラップ７（a、b、c）及び突起８（a、b、c、ｄ）により、起立状態がロックされる。
【００１７】
図５は蓋１１を閉めた状態を示す。
【００１８】
図６は突起の拡大図である。  
【実施例２】
【００１９】
突起が、課題解決手段３である実施例を示す。図１の突起の切れ込みを入れない状態で実施例１に使用した紙の切れ端を用い、突起設置位置に張り付けた。図７、図８は実施例１の図３，図４と同じ場面であり、突起のみが異なる事を示している。当然突起は外からは見えず、外観上すっきりとする。突起の大きさ、形状、位置は箱の大きさ等の条件で変化してかまわないことは勿論である。
【実施例３】
【００２０】
コーナーフラップの５a、５c面を予め側壁板３の内面に接着剤で貼り付けておくのが実施例３である。実施例１での図２から図３への移行が大変スムースにいく。突起の種類に関係なく組み立てが簡単である。  
【図面の簡単な説明】
【００２１】
【図１】実施例１の展開図
【図２】実施例１、２、３の折り畳み状況図
【図３】実施例１の組み立て途中図
【図４】実施例１の起立終了、ロック完了図
【図５】実施例１の蓋閉め図
【図６】実施例１の突起拡大図
【図７】実施例２の組み立て途中図
【図８】実施例２の起立終了、ロック完了図
【符号の説明】
【００２２】
１      底板
２〜４  側壁板
５      コーナーフラップ
６      コーナーフラップ抑え板
７      係止フラップ
８      突起
９      コーナーフラップ折り筋
10      コーナーフラップ抑え板折り筋
【図１】
2006076574.tif 000003
【図２】
2006076574.tif 000004
【図３】
2006076574.tif 000005
【図４】
2006076574.tif 000006
【図５】
2006076574.tif 000007
【図６】
2006076574.tif 000008
【図７】
2006076574.tif 000009
【図８】
2006076574.tif 000010